(57)【要約】【課題】凹凸部を有し、隣り合うバンド駒とその凹凸部を組み合わせることでバンドを構成するバンド駒について、そのバンド駒をアジャスト可能とする新規なバンド構造を提供することにある。【解決手段】バンド駒２０ａは、凹部２５ａの両端２６ａ，２６ａに形成されたピン穴２７ａ，２７ａの穴径Ｘ１と、凸部２１ａに形成されたピン穴２２ａの穴径Ｙ１とを、Ｘ１＞Ｙ１とすることで、ピン穴１１ａ内に段差部１２ａ，１２ａを設ける。一方、連結ピン４０ａには、その段差部１２ａ，１２ａに位置するように、連結ピン４０ａの周方向へ弾性体が環装されて、突起する係止部４１ａ，４１ａをなす。そして、この連結ピン４０ａが、ピン穴１１ａへ挿入されると、ピン穴１１ａ内の両段差部１２ａ，１２ａにおいて両係止部４１ａ，４１ａが係止することで、ピン穴１１ａに固定される。【選択図】  図１
2004305319.tif 000002
【特許請求の範囲】
【請求項１】
凹凸部を有し、隣り合うバンド駒とその凹凸部を組み合わせることでバンドを構成するバンド駒と、
バンド駒の凹凸部の組み合わせ部を貫通するように形成されたピン穴へ挿通され、バンド駒どうしを回動自在に連結するための連結ピンとで構成されるバンド構造であって、
凹部の両端に形成されたピン穴の穴径と、凸部に形成されたピン穴の穴径とを異ならせることで、ピン穴内に段差部を設け、
その段差部に位置するように、連結ピンの周方向へ弾性体が環装されて、突起する係止部をなし、
ピン穴へ挿通された連結ピンは、その係止部が段差部で係止されることでピン穴へ着脱自在に固定されるアジャスト可能なバンド構造。
【請求項２】
段差部を形成しているピン穴の角を傾斜状とする請求項１記載のアジャスト可能なバンド構造。
【請求項３】
凹凸部を有し、隣り合うバンド駒とその凹凸部を組み合わせることでバンドを構成するバンド駒と、
バンド駒の凹凸部の組み合わせ部を貫通するように形成されたピン穴へ挿通され、バンド駒どうしを回動自在に連結するための連結ピンとで構成されるバンド構造であって、
凹部の両端に形成されたピン穴と凸部に形成されたピン穴の接する少なくとも１箇所の凹部両端側又は凸部側に、ピン穴を拡径した拡径部を設け、
その拡径部に位置するように、連結ピンの周方向へ弾性体が環装されて、突起する係止部をなし、
ピン穴へ挿通された連結ピンは、その係止部が拡径部で係止されることでピン穴へ着脱自在に固定されるアジャスト可能なバンド構造。
【請求項４】
拡径部を形成しているピン穴の角を傾斜状とする請求項３記載のアジャスト可能なバンド構造
【請求項５】
連結ピンの係止部の外周面角を傾斜状とする請求項１から４のいずれかに記載のアジャスト可能なバンド構造
【請求項６】
連結ピンの端部の角を傾斜状とする請求項１から５のいずれかに記載のアジャスト可能なバンド構造
【請求項７】
請求項１から６のいずれかに記載のアジャスト可能なバンド構造を備えた装身具。
【発明の詳細な説明】
【０００１】
【発明の属する技術分野】
本発明は、凹凸部を有し、隣り合うバンド駒とその凹凸部を組み合わせることでバンドを構成するバンド駒について、そのバンド駒を取り外し・取り付け（アジャスト）可能とするバンド構造に関するものである。
【０００２】
【従来の技術】
本願出願人は、上述のようにバンド駒をアジャスト可能とするバンド構造として、特許文献１を開示している。
特許文献１は、アジャスト駒と他の駒とで形成されるピン穴へ挿通される連結ピンに、弾性体からなる係止体を取り付けたことを特徴としている。連結ピンがピン穴へ挿通されると、その係止体がピン穴の内壁を圧接することで、連結ピンがピン穴内で着脱自在に固定されるものである。
【０００３】
【特許文献１】
特開２００２−９５５０７号公報
【０００４】
【発明が解決しようとする課題】
これに対して、本願発明者らは、特許文献１と同様な連結ピンを用いながら、特許文献１とは異なる発想でアジャスト可能なバンド構造を提供すべく、鋭意研究・開発を行った結果、本願発明を創作するに至った。
【０００５】
【課題を解決するための手段】
本願発明の第一は、凹凸部を有し、隣り合うバンド駒とその凹凸部を組み合わせることでバンドを構成するバンド駒と、
バンド駒の凹凸部の組み合わせ部を貫通するように形成されたピン穴へ挿通され、バンド駒どうしを回動自在に連結するための連結ピンとで構成されるバンド構造であって、
凹部の両端に形成されたピン穴の穴径と、凸部に形成されたピン穴の穴径とを異ならせることで、ピン穴内に段差部を設け、
その段差部に位置するように、連結ピンの周方向へ弾性体が環装されて、突起する係止部をなし、
ピン穴へ挿通された連結ピンは、その係止部が段差部で係止されることでピン穴へ着脱自在に固定されることを特徴とする。
【０００６】
本願発明の第二は、段差部を形成しているピン穴の角を傾斜状とすることを特徴とする。
【０００７】
本願発明の第三は、凹凸部を有し、隣り合うバンド駒とその凹凸部を組み合わせることでバンドを構成するバンド駒と、
バンド駒の凹凸部の組み合わせ部を貫通するように形成されたピン穴へ挿通され、バンド駒どうしを回動自在に連結するための連結ピンとで構成されるバンド構造であって、
凹部の両端に形成されたピン穴と凸部に形成されたピン穴の接する少なくとも１箇所の凹部両端側又は凸部側に、ピン穴を拡径した拡径部を設け、
その拡径部に位置するように、連結ピンの周方向へ弾性体が環装されて、突起する係止部をなし、
ピン穴へ挿通された連結ピンは、その係止部が拡径部で係止されることでピン穴へ着脱自在に固定されることを特徴とする。
【０００８】
本願発明の第四は、拡径部を形成しているピン穴の角を傾斜状とすることを特徴とする。
【０００９】
本願発明の第五は、連結ピンの係止部の外周面角を傾斜状とすることを特徴とし、本願発明の第六は、連結ピンの端部の角を傾斜状とすることを特徴とする。また、本願発明の第六は、第一から第五に係るバンド構造を備えた装身具であることを特徴とする。ここで、「装身具」には、一般的にいわれる装身具の他に、時計バンドも含まれる。
【００１０】
【発明の実施の形態】
本発明の実施の形態を図面に基づいて説明する。
図１は、本発明の第一の実施形態を示す断面図である。
第一実施形態のバンド構造１０ａは、凹部２５ａ凸部２１ａを有し、隣り合うバンド駒２０ａとその凹部２５ａ凸部２１ａを組み合わせることでバンドを構成するバンド駒２０ａと、バンド駒２０ａの凹部２５ａ凸部２１ａの組み合わせ部を貫通するように形成されたピン穴１１ａへ挿通され、バンド駒２０ａどうしを回動自在に連結するための連結ピン４０ａとで構成される。
【００１１】
バンド駒２０ａは、凹部２５ａの両端２６ａ，２６ａに形成されたピン穴２７ａ，２７ａの穴径Ｘ１と、凸部２１ａに形成されたピン穴２２ａの穴径Ｙ１とを、Ｘ１＞Ｙ１とすることで、ピン穴１１ａ内に段差部１２ａ，１２ａを設ける。
一方、連結ピン４０ａには、その段差部１２ａ，１２ａに位置するように、連結ピン４０ａの周方向へ弾性体が環装されて、突起する係止部４１ａ，４１ａをなす。
この係止部４１ａは、弾性体として、例えば、シリコンゴムやその他のゴム、プラスチック、ウレタンなどの高分子素材などを使用する。他の実施形態においても同様である。
【００１２】
この連結ピン４０ａは、ピン穴１１ａへ挿入されると、穴径の小さい凸部２１ａのピン穴２２ａを一方の係止部４１ａが一旦圧縮して挿通する。
そして、連結ピン４０ａが、ピン穴１１ａへ完全に収まると、前記係止部４１ａもピン穴２２ａを抜けて、ピン穴２２ａとピン穴２７ａで形成される段差部１２ａに位置する。ここで、弾性体からなる前記係止部４１ａは、圧縮状態から復元し、段差部１２ａと当接することになる。
【００１３】
また、連結ピン４０ａがピン穴１１ａへ完全に収まると、もう一方の係止部４１ａも、ピン穴２２ａとピン穴２７ａで形成される段差部１２ａに位置し、段差部１２ａと当接することになる。
こうして、連結ピン４０ａは、ピン穴１１ａ内の両段差部１２ａ，１２ａにおいて両係止部４１ａ，４１ａが係止することで、ピン穴１１ａに固定される。
【００１４】
さらに、ピン穴１１ａに固定されている連結ピン４０ａに対して、ピン長手方向へ応力を与えることで、段差部１２ａに当接していた係止部４１ａが圧縮して、穴径の小さい凸部２１ａのピン穴２２ａを挿通する。これにより、係止部４１ａの係止状態が解かれ、連結ピン４０ａをピン穴１１ａから取り出すことが可能となる。
従って、連結ピン４０ａは、バンド駒２０ａ，２０ａで形成されるピン穴１１ａへ着脱自在に固定できるものとなる。
【００１５】
ここで、図１に示すように、ピン穴１１ａ内の段差部１２ａを形成している凸部２１ａのピン穴２２ａの角を傾斜状とするとよい。連結ピン４０ａにピン長手方向への応力がかかった場合に、係止部４１ａの圧縮が滑らかになり、ピン穴１１ａに対する連結ピン４０ａの着脱がスムーズにいくようになるからである。
同様に、連結ピン４０ａの係止部４１ａも、図１に示すようにその外周面角を傾斜させることで、その圧縮を滑らかにすることができる。
また、連結ピン４０ａの両端部４２ａ，４２ａの角を傾斜させることで、ピン穴１１ａの挿通をスムーズにできるようになる。
【００１６】
図２は、本発明の第二の実施形態を示す断面図である。
第二実施形態のバンド構造１０ｂについては、図１に示す第一実施形態と共通する部分もあるので、第一実施形態と異なる部分について説明する。
【００１７】
バンド駒２０ｂは、凹部２５ｂの両端２６ｂ，２６ｂに形成されたピン穴２７ｂ，２７ｂの穴径Ｘ２と、凸部２１ｂに形成されたピン穴２２ｂの穴径Ｙ２とを、Ｘ１＜Ｙ１とすることで、ピン穴１１ｂ内に段差部１２ｂ，１２ｂを設ける。
一方、連結ピン４０ｂには、その段差部１２ｂ，１２ｂに位置するように、連結ピン４０ｂの周方向へ弾性体が環装されて、突起する係止部４１ｂ，４１ｂをなす。
【００１８】
この連結ピン４０ｂは、ピン穴１１ｂへ挿入されると、まず穴径の小さい凹部２５ｂの両端２６ｂ，２６ｂに形成されたピン穴２７ｂ，２７ｂを係止部４１ｂ，４１ｂが一旦圧縮して挿通する。
そして、連結ピン４０ｂが、ピン穴１１ｂへ完全に収まると、係止部４１ｂ，４１ｂもピン穴２７ｂ，２７ｂを抜けて、ピン穴２２ｂとピン穴２７ｂ，２７ｂで形成される段差部１２ｂ，１２ｂにそれぞれ位置する。ここで、弾性体からなる係止部４１ｂ，４１ｂは、圧縮状態から復元し、段差部１２ｂ，１２ｂと当接することになる。
こうして、連結ピン４０ｂは、ピン穴１１ｂ内の両段差部１２ｂ，１２ｂにおいて両係止部４１ｂ，４１ｂが係止することで、ピン穴１１ｂに固定される。
【００１９】
さらに、ピン穴１１ｂに固定されている連結ピン４０ｂに対して、ピン長手方向へ応力を与えることで、段差部１２ｂ，１２ｂに当接していた係止部４１ｂ，４１ｂが圧縮して、穴径の小さい凹部２５ｂの両端２６ｂ，２６ｂに形成されたピン穴２７ｂ，２７ｂを挿通する。これにより、係止部４１ｂ，４１ｂの係止状態が解かれ、連結ピン４０ｂをピン穴１１ｂから取り出すことが可能となる。
従って、連結ピン４０ｂは、バンド駒２０ｂ，２０ｂで形成されるピン穴１１ｂへ着脱自在に固定できるものとなる。
【００２０】
ここで、図２に示すように、ピン穴１１ｂ内の段差部１２ｂを形成している凹部２５ｂの両端２６ｂ，２６ｂに形成されたピン穴２７ｂ，２７ｂの角を傾斜状とするとよい。連結ピン４０ａにピン長手方向への応力がかかった場合に、係止部４１ａの圧縮が滑らかになり、ピン穴１１ａに対する連結ピン４０ａの着脱がスムーズにいくようになるからである。
同様に、連結ピン４０ｂの係止部４１ｂも、図２に示すようにその外周面角を傾斜させること、また、連結ピン４０ｂの両端部４２ｂ，４２ｂの角を傾斜させることは、第一実施形態の場合と同様である。
【００２１】
図３は、本発明の第三の実施形態を示す断面図である。
第三実施形態のバンド構造１０ｃは、凹部２５ｃ凸部２１ｃを有し、隣り合うバンド駒２０ｃとその凹部２５ｃ凸部２１ｃを組み合わせることでバンドを構成するバンド駒２０ｃと、バンド駒２０ｃの凹部２５ｃ凸部２１ｃの組み合わせ部を貫通するように形成されたピン穴１１ｃへ挿通され、バンド駒２０ｃどうしを回動自在に連結するための連結ピン４０ｃとで構成される。
【００２２】
バンド駒２０ｃは、凹部２５ｃの両端２６ｃ，２６ｃに形成されたピン穴２７ｃ，２７ｃのいずれか一方にピン穴を拡径した拡径部２８ｃを設ける。すなわち、ピン穴２７ｃの穴径Ｘ３と、拡径部２８ｃの穴径Ｙ３とを、Ｘ３＜Ｙ３とするものである。
一方、連結ピン４０ｃには、その拡径部２８ｃに位置するように、連結ピン４０ｃの周方向へ弾性体が環装されて、突起する係止部４１ｃをなす。
【００２３】
この連結ピン４０ｃは、ピン穴２７ｃ，２７ｃとピン穴２２ｃとで形成されるピン穴１１ｃへ挿入されると、ピン穴２７ｃを係止部４１ｃが一旦圧縮して挿通する。
そして、連結ピン４０ｃが、ピン穴１１ｃへ完全に収まると、係止部４１ｃもピン穴２７ｃの拡径部２８ｃに位置する。ここで、弾性体からなる係止部４１ｃは、圧縮状態から復元し、拡径部２８ｃ内に嵌合することになる。
【００２４】
こうして、連結ピン４０ｃは、ピン穴１１ｃ内の拡径部２８ｃにおいて係止部４１ｃが係止することで、ピン穴１１ｃに固定される。
【００２５】
さらに、ピン穴１１ｃに固定されている連結ピン４０ｃに対して、ピン長手方向へ応力を与えることで、拡径部２８ｃに嵌合していた係止部４１ｃが圧縮して、ピン穴２７ｃを挿通する。これにより、係止部４１ｃの係止状態が解かれ、連結ピン４０ｃをピン穴１１ｃから取り出すことが可能となる。
従って、連結ピン４０ｃは、バンド駒２０ｃ，２０ｃで形成されるピン穴１１ｃへ着脱自在に固定できるものとなる。
【００２６】
ここで、図３に示すように、ピン穴１１ｃ内の拡径部２８ｃの角やこれと接するピン穴２２ｃの角を傾斜状とするとよい。連結ピン４０ｃにピン長手方向への応力がかかった場合に、係止部４１ｃの圧縮が滑らかになり、ピン穴１１ｃに対する連結ピン４０ｃの着脱がスムーズにいくようになるからである。
同様に、連結ピン４０ｃの係止部４１ｃも、図３に示すようにその外周面角を傾斜させることで、その圧縮を滑らかにすることができる。
また、連結ピン４０ｃの両端部４２ｃ，４２ｃの角を傾斜させることで、ピン穴１１ｃの挿通をスムーズにできるようになる。
なお、第三実施形態では、拡径部は１箇所だけであるが、これに限られることなく複数箇所設けてもよい。
【００２７】
図４は、本発明の第四の実施形態を示す断面図である。
第四実施形態のバンド構造１０ｄについては、図３に示す第三実施形態と共通する部分もあるので、第三実施形態と異なる部分について説明する。
【００２８】
バンド駒２０ｄは、凸部２１ｄに形成されたピン穴２２ｄのピン穴を拡径した拡径部２３ｄを設ける。すなわち、ピン穴２２ｄの穴径Ｘ４と、拡径部２３ｄの穴径Ｙ４とを、Ｘ４＜Ｙ４とするものである。
一方、連結ピン４０ｄには、その拡径部２３ｄに位置するように、連結ピン４０ｄの周方向へ弾性体が環装されて、突起する係止部４１ｄをなす。
【００２９】
この連結ピン４０ｄは、ピン穴２７ｄ，２７ｄとピン穴２２ｄとで形成されるピン穴１１ｄへ挿入されると、ピン穴２７ｄを係止部４１ｄが一旦圧縮して挿通する。
そして、連結ピン４０ｄが、ピン穴１１ｄへ完全に収まると、係止部４１ｄもピン穴２２ｄの拡径部２３ｄに位置する。ここで、弾性体からなる係止部４１ｄは、圧縮状態から復元し、拡径部２３ｃ内に嵌合することになる。
こうして、連結ピン４０ｄは、ピン穴１１ｄ内の拡径部２３ｄにおいて係止部４１ｄが係止することで、ピン穴１１ｄに固定される。
【００３０】
さらに、ピン穴１１ｄに固定されている連結ピン４０ｄに対して、ピン長手方向へ応力を与えることで、拡径部２３ｄに嵌合していた係止部４１ｄが圧縮して、ピン穴２７ｄを挿通する。これにより、係止部４１ｄの係止状態が解かれ、連結ピン４０ｄをピン穴１１ｄから取り出すことが可能となる。
従って、連結ピン４０ｄは、バンド駒２０ｄ，２０ｄで形成されるピン穴１１ｄへ着脱自在に固定できるものとなる。
【００３１】
ここで、図４に示すように、ピン穴１１ｄ内の拡径部２３ｄの角やこれと接するピン穴２７ｄの角を傾斜状とするとよい。連結ピン４０ｄにピン長手方向への応力がかかった場合に、係止部４１ｄの圧縮が滑らかになり、ピン穴１１ｄに対する連結ピン４０ｄの着脱がスムーズにいくようになるからである。
同様に、連結ピン４０ｄの係止部４１ｄも、図４に示すようにその外周面角を傾斜させること、また、連結ピン４０ｄの両端部４２ｄ，４２ｄの角を傾斜させることは、第三実施形態の場合と同様である。
なお、第四実施形態では、拡径部は１箇所だけであるが、これに限られることなく複数箇所設けてもよい。
【００３２】
【発明の効果】
本発明によれば、係止部を備えた連結ピンは、ピン穴内の段差部においてその係止部が係止することで、ピン穴に固定される。さらに、ピン穴に固定されている連結ピンに対して、ピン長手方向へ応力を与えることで、段差部に当接していた係止部が圧縮して、穴径の小さいピン穴を挿通する。これにより、係止部の係止状態が解かれ、連結ピンをピン穴から取り出すことが可能となる。
【００３３】
また、その他に、係止部を備えた連結ピンは、ピン穴内の拡径部においてその係止部が係止することで、ピン穴に固定される。さらに、ピン穴に固定されている連結ピンに対して、ピン長手方向へ応力を与えることで、拡径部に当接していた係止部が圧縮してピン穴を挿通する。これにより、係止部の係止状態が解かれ、連結ピンをピン穴から取り出すことが可能となる。
【００３４】
このように本発明は、従来技術で示した連結ピンをピン穴内壁に圧接させる特許文献１とは異なる構造で、ピン穴へ着脱自在に固定できるものとなり、全く新しいアジャスト可能なバンド構造を提供できた。
【図面の簡単な説明】
【図１】本発明の第一の実施形態を示す断面図
【図２】本発明の第二の実施形態を示す断面図
【図３】本発明の第三の実施形態を示す断面図
【図４】本発明の第四の実施形態を示す断面図
【符号の説明】
１０ａ  バンド構造
１１ａ  ピン穴
１２ａ  段差部
２０ａ  バンド駒
２１ａ  凸部
２２ａ  ピン穴
２５ａ  凹部
２６ａ  両端部
２７ａ  ピン穴
４０ａ  連結ピン
４１ａ  係止部
４２ａ  両端部
【図１】
2004305319.tif 000003
【図２】
2004305319.tif 000004
【図３】
2004305319.tif 000005
【図４】
2004305319.tif 000006